(57)【要約】【課題】吸収体や立体ギャザーを身体に密着させることが出来、使用者の使用状況に応じた接着領域を有する吸収性物品を提供することを目的とする。【解決手段】人体と接する接触面に配されるトップシート２と、外装体３と、前記トップシート２と前記外装体３との間に腹側部３ａから股下部３ｂを通って背側部３ｃにかけて介装され、前記外装体３側に接着剤により接着される吸収体４と、を備える紙おむつ１において、吸収体４と外装体３との接着領域は、腹側接着部８ａと、背側接着部８ｃと、股下接着部８ｂと、股下接着部８ｂと腹側接着部８ａおよび股下接着部８ｂと背側接着部８ｃとの間の中間接着部８ｄ、８ｅと、に区分された各接着部の幅方向の長さが三つ以上異なる。【選択図】  図１
2005087622.tif 000002
【特許請求の範囲】
【請求項１】
人体と接する接触面に配されるトップシートと、外装体と、前記トップシートと前記外装体との間に腹側部から股下部を通って背側部にかけて介装され、前記外装体側に接着剤により接着される吸収体と、を備える吸収性物品において、
前記吸収体と前記外装体との接着領域は、腹側接着部と、背側接着部と、股下接着部と、前記股下接着部と前記腹側接着部および前記股下接着部と前記背側接着部との間の中間接着部と、に区分され、
区分された各接着部の幅方向の長さが三つ以上異なることを特徴とする吸収性物品。
【請求項２】
前記腹側接着部および前記背側接着部の幅が、前記股下接着部の幅よりも広く、
前記中間接着部の幅は、前記腹側接着部および前記背側接着部の幅と、前記股下接着部の幅との中間の幅であることを特徴とする請求項１に記載の吸収性物品。
【請求項３】
前記吸収体は、前記股下部における幅が前記腹側部及び前記背側部における幅よりも狭い吸収体コアを備え、
前記吸収体の幅方向両側縁部に腹側端部から背側端部に亘ってギャザーシートが設けられ、
前記中間接着部の一部は、前記吸収体コアと前記ギャザーシートの立ち上がり部との間に位置することを特徴とする請求項２に記載の吸収性物品。
【発明の詳細な説明】
【技術分野】
【０００１】
本発明は、吸収性物品に関する。
【背景技術】
【０００２】
従来のテープ式、パンツ式の紙おむつにおいて、トップシートを有する吸収体を、外装体を有する外装体に貼付ける接着領域としては、吸収体の股下部、もしくは腹側部や背側部のいずれかの幅に合わせて、吸収体の長手方向に対してほぼ同じ幅で設けるパターンが知られている（例えば、特許文献１）。
【特許文献１】特開平８−３８５４８号公報
【発明の開示】
【発明が解決しようとする課題】
【０００３】
しかしながら、上記特許文献１に記載された紙おむつの場合、吸収体の股下にあたる接着領域が腹側や背側の接着領域とほぼ同じ幅であると、股下にあたる部分の吸収体は人体との接触面幅以上の幅で接着されることがある。このような場合、装着者の動きによって幅方向（即ち横方向）から力が加えられることにより外装体が変形すると、吸収体もその動きに追従して変形することとなって、身体との間に隙間を作ってしまうこととなる。
一方、吸収体を、股下部分での人体接触面の幅に合わせて接着すると、腹側部及び背側部に当たる部分の吸収体が股下部よりも幅が広い場合、外装体に接着されない部分が生じる。その為、装着者の動きよる外装体の変形に追従することが出来ず、腹側部と背側部で吸収体と身体の間に隙間が出来やすくなると共に、吸収体の長手方向両側縁部に立体ギャザーが施されている場合、それらが倒れこんでしまい、体液をせき止め保持する機能を失い、モレが生じやすく、また装着感を悪くしてしまうという問題があった。
また、例えば、軽度の失禁症を患う装着者と、寝たきりの患者や車椅子での生活を強いられている患者とでは、吸収体の最適な接着領域のパターンは必ずしも一様ではなく、着用者によってそれぞれ異なる接着領域のパターンが望まれているのにも関らず、画一的な接着パターンしか提供できないという問題があった。
そこで、本発明の課題は、吸収体や立体ギャザーを身体に密着させることが出来、装着者のニーズに応じた接着領域を有する吸収性物品を提供することである。
【課題を解決するための手段】
【０００４】
前述した課題を解決するために、請求項１に係る発明では、人体と接する接触面に配されるトップシートと、外装体と、前記トップシートと前記外装体との間に腹側部から股下部を通って背側部にかけて介装され、前記外装体側に接着剤により接着される吸収体と、を備える吸収性物品において、前記吸収体と前記外装体との接着領域は、腹側接着部と、背側接着部と、股下接着部と、前記股下接着部と前記腹側接着部および前記股下接着部と前記背側接着部との間の中間接着部と、に区分され、区分された各接着部の幅方向の長さが三つ以上異なることを特徴とする。
これにより、接着領域の各接着部の吸収体長手方向に対する横幅を三段階以上に変化させることが出来る。
【０００５】
請求項２に係る発明では、請求項１に記載の吸収性物品において、前記腹側接着部および前記背側接着部の幅が、前記股下接着部の幅よりも広く、前記中間接着部の幅は、前記腹側接着部および前記背側接着部の幅と、前記股下接着部の幅との中間の幅であることを特徴とする。
これにより、腹側部や背側部では、接着領域幅を広く設け、股下部では接着領域幅を狭く設け、股下部と腹側部又は背側部との間の領域では、その中間の幅であって任意の幅の接着領域を設けることが出来る。
【０００６】
請求項３に係る発明では、請求項２に記載の吸収性物品において、前記吸収体は、前記股下部における幅が前記腹側部及び前記背側部における幅よりも狭い吸収体コアを備え、前記吸収体の両側縁部に腹側端部から背側端部に亘ってギャザーシートが設けられ、前記中間接着部の一部は、前記吸収体コアと前記ギャザーシートの立ち上がり部との間に位置することを特徴とする。
これにより、使用者の体動で股下部の外装体が変形しても、ギャザーシートは影響を受けにくくなり、身体とのすき間が生じにくくなる。また、第一中間部や第二中間部の領域では、ギャザーシートの先端部を吸収体コアよりも外側に立ち上げることが出来る。
【発明の効果】
【０００７】
請求項１に記載の発明によれば、接着領域の長手方向に対する幅を三段階以上に変化させること、つまり、接着領域の幅をより細かく設定することが可能になる。これにより、接着領域を、希望するあらゆる幅に合わせて設けることが可能になり、対象とする領域に好適な幅の塗布領域を設けることによって、吸収体や立体ギャザーを身体の動きに追従させることができる。その結果、吸収体や立体ギャザーが身体に密着し、身体との間に隙間が形成されないことによって、モレにくくなるだけでなく、履き心地や外観を改善することが出来る。またこの接着領域は、使用者の状況によって任意の場所に任意の幅で設けることが可能で、あらゆる装着者のニーズに対した接着領域を有す吸収性物品を提供することにより、より確実に好適な使用感を与えることが出来る。
【０００８】
請求項２に記載の発明によれば、請求項１に記載の発明の効果が得られるのは当然のこと、腹側部や背側部では、接着領域幅を広く設け、股下部では接着領域幅を狭く設け、股下部と腹側部又は背側部との間の領域は、その中間の幅であって任意の幅の接着領域を設けることが出来る。これにより、股下部、腹側部、背側部及び股下部と腹側部又は背側部の間の部分において、それぞれの部分で適切な幅を以って吸収体が外装体に貼付けられることとなり、その結果、吸収体や立体ギャザーを身体に密着させることが可能になり、より確実に、モレにくくすることが可能で、装着感を高めることが出来る。
【０００９】
請求項３に記載の発明によれば、請求項２に記載の発明の効果が得られるのは当然のこと、股下部でギャザーが内側に入り込んでしまっても、中間接着領域において、吸収体コアよりも広い幅で接着することにより、股下の前後ではギャザーを広げることが出来る。従って、ギャザーを好適に立ち上げることができることとなって、漏れを防止することができる。
【発明を実施するための最良の形態】
【００１０】
（実施形態１）
以下、本発明の実施形態１を、図面を参照しながら詳細に説明する。
本実施形態においては、吸収性物品としてのパンツタイプの使い捨て紙おむつ（以下、「紙おむつ」という）を一例として説明する。
図１は、本願発明の吸収性物品を適用した実施形態１の紙おむつの展開図である。図２は、図１のＡ−Ａ´線における断面図である。図３は、図１の紙おむつを組み立てた斜視図である。
【００１１】
図１、２に示すように、紙おむつ１は、人体と接する接触面に配される透液性のトップシート２と、使用装着時に外部側に設けられる外装体３と、トップシート２と外装体３との間に介装される吸収体４等と、により構成されている。
【００１２】
トップシート２は、透液性を有する不織布で、吸収体の表面側（人体側）を覆う形状に形成されている。
外装体３は、不織布からなる外面シート３Ａと、この外面シート３Ａに貼設される内面シート３Ｂとにより構成され、吸収体４の裏面側（装着時における外部側）を覆う形状に形成されている。
【００１３】
トップシート２や外面シート３Ａ、後述するギャザーシート５等を形成する不織布の素材としてとしては、天然繊維、合成繊維のいずれを用いてもよい。天然繊維の例としては、綿、セルロース（木材パルプ）、羊毛、絹等が挙げられる。また合成繊維としては、ポリプロピレン（PP）、ポリエチレン（PE）、ナイロン、ポリエステル（PET）、アクリル等が挙げられ、またPE/PP混合不織布、PE/PET混合不織布、また、上記素材を適宜組み合わせたバイコンポーネント繊維（混合繊維）も用いることができる。
【００１４】
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造してもよい。
【００１５】
外面シート３Ａには、紙おむつ１の使用時、着用者の腹周りである腹側から両脚の間である股下を通り、背中周りである背側に亘る位置を覆うように、腹側部３ａと、股下部３ｂと、背側部３ｃと、腹側部３ａと股下部３ｂの境界に位置する中間部である第一中間部３ｄと、股下部３ｂと背側部３ｃの境界に位置する中間部である第二中間部３ｅと、が形成されている。腹側部３ａと背側部３ｃとは、股下部３ｂよりも幅広い形状を有している。紙おむつ１を成形する際には、腹側部３ａの側端部３０ａと背側部３ｃの側端部３０ｃが、それぞれ固着されて脇部を形成することで、図３に示すように、パンツ型の形状に形成されるようになっている。
【００１６】
また、外面シート３Ａと内面シート３Ｂとの間においては、弾性部材としての複数本の糸ゴム３１ａが挟み込まれて固着されて備えられている。この糸ゴム３１ａによって、紙おむつ１使用時に、着用者の胴周りおよび腰周りで、紙おむつ１が伸縮自在となるように構成されている。
【００１７】
また、外面シート３Ａと内面シート３Ｂの股下部３ｂには、腹側部３ａの一方の側端部３０ａから股下部３ｂの略中央を経て腹側部３ａの他方の側端部３０ａへ至る複数本の糸ゴム３１ｂが固着されて備えられている。また、背側部３ｃの一方の側端部３０ｃから股下部３ｂの略中央を経て背側部３ｃの他方の側端部３０ｃへ至る複数本の糸ゴム３１ｃが固着されて備えられている。これら糸ゴム３１ｂや糸ゴム３１ｃは、紙おむつ１使用時に着用者の股下やそけい部に外装体３をフィットさせることができるように構成されている。
【００１８】
吸収体４は、紙おむつ１の使用時に体液としての尿等の水様成分を吸収するものであり、綿やパルプ等の吸収性素材や、繊維或いはフィルム等のシート状基材と高吸水性樹脂とが組み合わされて形成された吸収体コア４０と、この吸収体コア４０を覆う透液性のクレープ紙４１及び防水フィルム４２により構成されている。
尚、吸収体４には、吸収体コア４０があれば足り、その他のクレープ紙４１、及び防水フィルム４２等については、必要に応じて適宜付加することが出来る。
【００１９】
吸収体コア４０は、人体の前胴周りから両脚の間を通り後胴周りに亘る位置に装着されるように、股下部３ｂにおける股下両端部間の幅を短尺、前胴周りにあたる腹側端部４ａから後胴周りあたる背側端部４ｂにかけてを長尺とする、略長方形状に形成されている。
【００２０】
クレープ紙４１は透液性のシートであって、吸収体コア４０を全体的に包装しており、体液を吸収する働きをなす。
防水フィルム４２は、遮水性を有し、クレープ紙４１を通過した水様分が外装体３側に漏れることを防止する働きをなす。
【００２１】
吸収体４の幅方向両側端部には、紙おむつ１におけるトップシート２側において、吸収体コア４０の腹側端部４ａから背側端部４ｂにわたり、股下両端部４ｃに相当する位置にギャザーシート５、５が備えられている。
このギャザーシート５、５は、不透液性の不織布のシートを二つ折りにし、折り合わされた面を、例えば、ホットメルトや、ヒートシール、超音波シール等により固着させることにより形成されている。
ここで、この不織布シートを二つ折りにした折り返し部分側の端部を自由端部５１、立体的な立ち上がりの起点を立ち上がり部５２、外装体３側に固定される端部を固定端部５３とする。その固定端部５３が、トップシート２と、外面シート３Ａとの間に挟まれるように固着されることにより、ギャザーシート５、５が固定されている。そして、その不織布が折り合わされた面間に、複数本の糸ゴム５４が挟み込まれて固着されて備えられている。
このギャザーシート５、５が紙おむつ１に固着されて備えられた状態において、先端部である自由端部５１が起立することにより立体ギャザー５Ｈが形成される。そして、この糸ゴム５４によりギャザーシート５は、着用者の体型に合わせて伸縮自在に変形し、着用者にフィットしやすい構造となっている。
【００２２】
以上のような構造の紙おむつ１において、吸収体４を外装体３側に接着する接着領域８について以下に説明する。
接着領域８は、吸収体４を外装体３に取り付けるための接着剤を塗布する領域である。具体的には、外装体３側もしくは吸収体４側のいずれか一方に施されていれば良く、本実施の形態では、外装体３側に接着剤を塗布した。図４は、図１の吸収体の接着領域を説明するための説明図である。
ここで、吸収体４における接着領域８は長手方向に沿って、腹側部３ａ側の接着領域を腹側接着部８ａ、股下部３ｂ側の接着領域を股下接着部８ｂ、背側部３ｃ側の接着領域を背側接着部８ｃ、第一中間部３ｄ側の接着領域を第一中間接着部８ｄ、第二中間部３ｅの接着領域を第二中間接着部８ｅとする。
【００２３】
図４に示すように、それぞれの接着領域の幅は、例えば、腹側接着部８ａを約１７０ｍｍ、第一中間接着部８ｄ及び第二中間接着部８ｅを約１４０ｍｍ、股下接着部８ｂを約１１０ｍｍ、背側接着部８ｃを約１７０ｍｍとした。
このようにすると、股下接着部８ｂにおいては、装着者の動きによって幅方向（即ち横方向）から力が加わった場合、吸収体コア４０は横方向からの力によって上方向に盛り上がることとなって、より装着者の身体に密着することとなるだけでなく、その側方に形成された立体ギャザー５Ｈも、外装体３の動きに完全に追従することなく、立体ギャザー５Ｈを身体に密着させることが出来、隙間を生じさせにくくすることができる。
腹側接着部８ａないしは背側接着部８ｃにおいては、装着者の動きによって外装体３が変形すると、充分な幅で以って外装体３に貼付けられている吸収体４は、外装体３の動きに追従して一体となって動くため、吸収体４を常に身体に沿わせることが可能となって、隙間を生じさせることがなくなる。
さらに、第一中間接着部８ｄ及び第二中間接着部８ｅにおいては、装着者の身体に密着するような好適な接着領域幅で接着されているため、腹側接着部８ａ、股下接着部８ｂ、背側接着部８ｃと同様、隙間を生じさせることがなくなる。
【００２４】
なお、接着領域８は必ずしも股下接着部８ｂからそれぞれ腹側接着部８ａ、背側接着部８ｃへ至るに従って幅を広く設定する必要はなく、装着者の使用状況に応じて設定して構わない。従って、例えば背側接着部８ｃ、第二中間接着部８ｅ及び股下接着部８ｂの幅を同一且つ広く設け、第一中間接着部８ｄの幅をそれよりも狭く、さらに腹側接着部８ａの幅を最も狭く設定して接着領域８を形成しても構わない。一部に非接着領域を設けても良い。
また、腹側接着部８ａ、第一中間接着部８ｄ、股下接着部８ｂ、第二中間接着部８ｅ、背側接着部８ｃは、それぞれさらにその領域の中で細分化して異なる複数の幅を有する領域としても構わない。
【００２５】
接着方法としては、ホットメルトでの接着が一般的であるが、それ以外の手法で接着しても構わない。
また、ホットメルトを使用する場合の接着剤塗布パターンとしては、接着剤塗布領域の全面に接着剤を塗布するのが一般的であるが、接着剤塗布領域に接着剤を直線や曲線などの線状に塗工する方法を用いても良い。
【００２６】
以上、説明した実施形態１にかかる紙おむつ１によれば、接着領域８の幅を細かく設定することが可能であり、これにより、接着領域８を、希望するあらゆる幅に合わせて設けることが可能となる。対象とする領域に好適な幅の接着領域８を設けることによって、吸収体コア４０や立体ギャザー５Ｈが身体に密着し、身体との間に隙間が形成されないことによって、モレにくくなるだけでなく、履き心地や外観を改善することが出来る。
また、この接着領域８は、使用者の状況によって任意の場所に任意の幅で設けることが可能で、あらゆる装着者のニーズに対応した接着領域を有する紙おむつを提供することにより、より確実に好適な使用感を与えることが出来る。
また、接着領域幅を広げるだけでなく、狭くすることも可能であり、そのために接着が必要でない部分に施されていた接着剤を節約することが出来る。
また、腹側接着部８ａや背側接着部８ｃでは、接着領域８幅を広く設け、背側接着部８ｃでは接着領域８幅を狭く設け、第一中間接着部８ｄ、第二中間接着部８ｅにおいて、それぞれの部分で適切な幅を以って吸収体４が外装体３に貼付けられることとなり、その結果、吸収体コア４０や立体ギャザー５Ｈを身体に密着させることが可能になり、より確実に、モレにくくすることが可能で、装着感を高めることが出来る。
【００２７】
（実施形態２）
図５は、本願発明の吸収性物品を適用した実施形態２の紙おむつの展開図である。図６は、図５の吸収体の接着領域を説明するための説明図である。
接着領域１０は実際には外装体３側に施されているが、吸収体コア９０と接着領域１０との比較を行うために、図６では、吸収体コア９０及び接着領域１０について図示する。
また、実施形態２の紙おむつ１００は、実施形態１の紙おむつ１と比較した場合、吸収体コア９０及び接着領域１０の形状のみが異なるので、紙おむつ１と同一の部分には同一の符号を付して説明を省略し、異なる部分のみについて説明する。
図５、６に示すように、実施形態２に係る紙おむつ１００の吸収体コア９０は、股下部３ｂに相当する股下相当部３３ｂの幅が腹側部３ａ及び背側部３ｃに相当する腹側相当部３３ａ及び背側相当部３３ｃの幅よりも狭く、股下相当部３３ｂと腹側相当部３３ａ又は背側相当部３３ｃとの間には連続的に幅が大きくなっている第一中間相当部３３ｄと第二中間相当部３３ｅが形成されている。以上の様な砂時計形を形成する吸収体コア９０は、クレープ紙４１で包装され、外装体３側に防水フィルム４２を備え、吸収体９として成る。
【００２８】
接着領域１０は、吸収体コア９０の外郭より延出して設けられている。つまり、腹側相当部３３ａに当たる腹側接着部８８ａ、股下相当部３３ｂに当たる股下接着部８８ｂ及び背側相当部３３ｃにあたる背側接着部８８ｃは、吸収体コア９０の形状に沿って設けられているが、第一中間相当部３３ｄに当たる第一中間接着部８８ｄ、第二中間相当部３３ｅに当たる第二中間接着部８８ｅの幅は、吸収体コア９０よりも外側に延出して、その幅方向端部が吸収体コア９０とギャザーシート５、５との立ち上がり部５２、５２の間に位置するようになっている。この接着領域１０を利用することによって、股下部３ｂでギャザーが内側に入っても、その前後ではギャザーの先端部である自由端部５１、５１間を吸収体コア９０より広く保つことが出来る。
【００２９】
このように、吸収体９の長手方向に沿って、連続的に接着領域１０を設け、その幅を一部広くし、吸収体コア９０よりも外側に接着領域１０を設けることによって、吸収体コア９０の幅が狭くても立体ギャザー５Ｈの自由端部５１、５１間を広げることが出来、立体ギャザー５Ｈをより身体にフィットさせ、モレを防ぎ、装着感を上げることが可能になる。
【００３０】
なお、上記した実施形態においては、本発明をパンツタイプの紙おむつに適用したものについて例示したが、テープ式の紙おむつに適用してもよいことは無論である。
また、本願発明では吸収体４を備える紙おむつ１を例に上げたが、おむつカバー等に吸収体を含む吸収パッドを取り付けて使用する吸収性物品についても、同様の接着領域を設けることで前述した効果を得ることが出来る。
また、接着方法としては、ホットメルトやヒートシール、超音波シールなどにより接着できる。その他、適当な接着方法を実施して構わない。
また、その他、具体的な細部構造などについても適宜に変更可能であることは勿論である。
【図面の簡単な説明】
【００３１】
【図１】本願発明の吸収性物品を適用した実施形態１の紙おむつの展開図である。
【図２】図１のＡ−Ａ´での断面図である。
【図３】図１の紙おむつを組み立てた斜視図である。
【図４】図１の吸収体の接着領域を説明するための説明図である。
【図５】本願発明の吸収性物品を適用した実施形態２の紙おむつの展開図である。
【図６】図５の吸収体の接着領域を説明するための説明図である。
【符号の説明】
【００３２】
１      紙おむつ
２      トップシート
３      外装体
３Ａ    外面シート
３Ｂ    内面シート
３ａ    腹側部
３ｂ    股下部
３ｃ    背側部
３ｄ    第一中間部
３ｅ    第二中間部
４      吸収体
５      ギャザーシート
８      接着領域
８ａ    腹側接着部
８ｂ    股下接着部
８ｃ    背側接着部
８ｄ    第一中間接着部（中間接着部）
８ｅ    第二中間接着部（中間接着部）
９      吸収体
３３ａ  腹側相当部
３３ｂ  股下相当部
３３ｃ  背側相当部
３３ｄ  第一中間相当部
３３ｅ  第二中間相当部
４０    吸収体コア
４２    防水フィルム
５１    自由端部
５２    立ち上がり部
８８ｄ  第一中間接着部（中間接着部）
８８ｅ  第二中間接着部（中間接着部）
９０    吸収体コア
１００    紙おむつ                                                             
【図１】
2005087622.tif 000003
【図２】
2005087622.tif 000004
【図３】
2005087622.tif 000005
【図４】
2005087622.tif 000006
【図５】
2005087622.tif 000007
【図６】
2005087622.tif 000008